(57)【要約】      （修正有）【課題】機器に対して外部からの指令がなくても、他の機器がアドレス重複異常を検出するようにすることができる伝送制御装置、機器管理システム及び伝送制御方法を提供する。【解決手段】第１アダプタ４０は、第１受信部と、判断部と、第１送信部とを備える。第１アダプタ４０は、第１ネットワーク１０を介して、第２アダプタ６０に接続されている。第１受信部は、第１ネットワーク１０を経由して第２アダプタ６０から第２送信データを受信する。判断部は、第２送信データの送信元アドレスが第１アダプタ４０のアドレスと重複しているか否かを判断する。第１送信部は、判断部により第２送信データの送信元アドレスが第１アダプタ４０のアドレスと重複していると判断された場合、第１ネットワーク１０を経由して、異常通知信号を含む第３送信データを自発的に送信する。【選択図】図１
2007228234.tif 000002
【特許請求の範囲】
【請求項１】
外部からの指令に応じてデータが送信されるネットワークであり、優先度が同じデータが衝突した場合に固定的な時間である第１時間が経過した後にデータが再送されるネットワークである第１ネットワーク（１０）を介して、第２機器（６０，４０）に接続された第１機器（４０，６０）が有している伝送制御装置（４１，６１）であって、
前記第１ネットワーク（１０）を経由して前記第２機器（６０，４０）から第２送信データを受信する受信部（４２，６２）と、
前記第２送信データの送信元アドレスが前記第１機器（４０，６０）のアドレスと重複しているか否かを判断する判断部（４５，６５）と、
前記判断部（４５，６５）により前記第２送信データの送信元アドレスが前記第１機器（４０，６０）のアドレスと重複していると判断された場合、前記第１ネットワーク（１０）を経由して、アドレス重複異常を知らせる信号である異常通知信号を含む第３送信データを自発的に送信する送信部（４３，６３）と、
を備えた、
伝送制御装置（４１，６１）。
【請求項２】
前記送信部（４３，６３）は、前記判断部（４５，６５）により前記第２送信データの送信元アドレスが前記第１機器（４０，６０）のアドレスと重複していると判断された場合、前記第１ネットワーク（１０）を経由して、前記第３送信データを周期的に送信する、
請求項１に記載の伝送制御装置（４１，６１）。
【請求項３】
前記送信部（４３，６３）は、前記判断部（４５，６５）により前記第２送信データの送信元アドレスが前記第１機器（４０，６０）のアドレスと重複していると判断された場合、前記第１ネットワーク（１０）を経由して、前記第３送信データを、前記第１時間と異なる時間である第２時間の間隔で周期的に送信する、
請求項２に記載の伝送制御装置（４１，６１）。
【請求項４】
前記送信部（４３，６３）は、前記判断部（４５，６５）により前記第２送信データの送信元アドレスが前記第１機器（４０，６０）のアドレスと重複していると判断された場合、前記第１ネットワーク（１０）を経由して、前記第３送信データを同報的に送信する、
請求項１から３のいずれか１項に記載の伝送制御装置（４１，６１）。
【請求項５】
前記判断部（４５，６５）により前記第２送信データの送信元アドレスが前記第１機器（４０，６０）のアドレスと重複していると判断された場合に、アドレス重複異常が発生したことを決定する決定部（４８，６８）と、
前記第２送信データの送信元アドレスが前記第１機器（４０，６０）のアドレスと重複していないと前記判断部（４５，６５）が判断している期間である正常期間が第３時間以上であると判断する場合に、前記決定部（４８，６８）が決定した前記アドレス重複異常を解除する解除部（４９，６９）と、
をさらに備えた、
請求項１から４のいずれか１項に記載の伝送制御装置（４１，６１）。
【請求項６】
請求項１から５のいずれか１項に記載の伝送制御装置（４１）を有し、前記第１ネットワーク（１０）に接続されている第１アダプタ（４０）と、
請求項１から５のいずれか１項に記載の伝送制御装置（６１）を有し、前記第１ネットワーク（１０）を介して前記第１アダプタ（４０）に接続された第２アダプタ（６０）と、
前記第１ネットワーク（１０）を介して前記第１アダプタ（４０）及び前記第２アダプタ（６０）に接続されている集中管理装置（８０）と、
第２ネットワーク（２０）を介して前記第１アダプタ（４０）に接続された第１設備機器（５０）と、
第３ネットワーク（３０）を介して前記第２アダプタ（６０）に接続された第２設備機器（７０）と、
を備えた、
機器管理システム（１）。
【請求項７】
外部からの指令に応じてデータが送信されるネットワークであり、優先度が同じデータが衝突した場合に固定的な時間である第１時間が経過した後にデータが再送されるネットワークである第１ネットワーク（１０）を介して、第２機器（６０，４０）に接続された第１機器（４０，６０）において行われる伝送制御方法であって、
前記第１ネットワーク（１０）を経由して前記第２機器（６０，４０）から第２送信データが受信される受信ステップと、
前記第２送信データの送信元アドレスが前記第１機器（４０，６０）のアドレスと重複しているか否かが判断される判断ステップと、
前記判断ステップにおいて前記第２送信データの送信元アドレスが前記第１機器（４０，６０）のアドレスと重複していると判断された場合、前記第１ネットワーク（１０）を経由して、アドレス重複異常を知らせる信号である異常通知信号を含む第３送信データが自発的に送信される送信ステップと、
を備えた、
伝送制御方法。
【発明の詳細な説明】
【技術分野】
【０００１】
本発明は、伝送制御装置、機器管理システム及び伝送制御方法に関する。
【背景技術】
【０００２】
従来から、空調機器などの設備機器の間の通信に適した独自規格のネットワークを介して、データが送受信されるような技術が提案されている（例えば、特許文献１参照）。
【特許文献１】特開２００４−３５６９３５号公報（第１−１９頁、第１−１３図）
【発明の開示】
【発明が解決しようとする課題】
【０００３】
特許文献１の技術では、アドレス重複異常が発生しているかどうか機器が知りたい場合でも、ネットワークの仕様により、外部からの指令（例えば、電源投入の指令、（集中管理装置からの）状態通知の指令、運転状態変化の指令など）がない限り、アドレス重複異常を知らせるデータが機器から送信されない傾向にある。これにより、機器に対して外部からの指令がない限り、他の機器がアドレス重複異常を検出するようにできないことがある。
【０００４】
また、特許文献１の技術では、外部からの指令（例えば、（集中管理装置からの）状態通知の指令など）があった場合にアドレス重複異常を知らせるデータが機器から送信されても、そのデータが他の機器から送信されたデータとネットワーク上で衝突することがある。その場合、ネットワークの仕様により、その機器と他の機器とから、固定的な時間を経過した後に同時にデータが再送される傾向にある。これにより、その機器から送信されたデータと他の機器から送信されたデータとがネットワーク上で再び衝突する傾向にあるので、アドレス重複異常を知らせるデータが機器から送信されても、他の機器がアドレス重複異常を検出するようにできないことがある。
【０００５】
本発明の課題は、機器に対して外部からの指令がなくても、他の機器がアドレス重複異常を検出するようにすることができる伝送制御装置、機器管理システム及び伝送制御方法を提供することにある。
【課題を解決するための手段】
【０００６】
第１発明に係る伝送制御装置は、第１機器が有している伝送制御装置であって、受信部と、判断部と、送信部とを備える。第１機器は、第１ネットワークを介して、第２機器に接続されている。第１ネットワークは、外部からの指令に応じてデータが送信されるネットワークであり、優先度が同じデータが衝突した場合に第１時間が経過した後にデータが再送されるネットワークである。第１時間は、固定的な時間である。受信部は、第１ネットワークを経由して第２機器から第２送信データを受信する。判断部は、第２送信データの送信元アドレスが第１機器のアドレスと重複しているか否かを判断する。送信部は、判断部により第２送信データの送信元アドレスが第１機器のアドレスと重複していると判断された場合、第１ネットワークを経由して、第３送信データを自発的に送信する。第３送信データは、異常通知信号を含む。異常通知信号は、アドレス重複異常を知らせる信号である。
【０００７】
この伝送制御装置では、判断部は、第２送信データの送信元アドレスが第１機器のアドレスと重複しているか否かを判断する。送信部は、第２送信データの送信元アドレスが第１機器のアドレスと重複しているか否かの情報を判断部から受け取ることができる。送信部は、判断部により第２送信データの送信元アドレスが第１機器のアドレスと重複していると判断された場合、第１ネットワークを経由して、第３送信データを自発的に送信する。第３送信データは、異常通知信号を含む。これにより、第１機器に対して外部からの指令がなくても、第２機器にアドレス重複異常を知らせることができる。
このように、機器に対して外部からの指令がなくても、他の機器がアドレス重複異常を検出するようにすることができる。
【０００８】
第２発明に係る伝送制御装置は、第１発明又は第２発明の伝送制御装置であって、送信部は、判断部により第２送信データの送信元アドレスが第１機器のアドレスと重複していると判断された場合、第１ネットワークを経由して、第３送信データを周期的に送信する。
【０００９】
この伝送制御装置では、送信部は、判断部により第２送信データの送信元アドレスが第１機器のアドレスと重複していると判断された場合、第１ネットワークを経由して、第３送信データを周期的に送信する。これにより、第２機器にアドレス重複異常を周期的に知らせることができる。
このように、アドレス重複異常を知らせるデータが機器から送信された場合に、他の機器にアドレス重複異常を周期的に知らせることができるので、他の機器がアドレス重複異常を確実に検出するようにすることができる。
【００１０】
第３発明に係る伝送制御装置は、第２発明の伝送制御装置であって、送信部は、判断部により第２送信データの送信元アドレスが第１機器のアドレスと重複していると判断された場合、第１ネットワークを経由して、第３送信データを、第２時間の間隔で周期的に送信する。第２時間は、第１時間と異なる時間である。
この伝送制御装置では、送信部は、判断部により第２送信データの送信元アドレスが第１機器のアドレスと重複していると判断された場合、第１ネットワークを経由して、第３送信データを、第２時間の間隔で周期的に送信する。これにより、第３送信データと第２送信データとが第１ネットワークの上で衝突したとしても、次に送信されたタイミングにおいて、第３送信データと第２送信データとが第１ネットワークの上で衝突することを低減できる。
このように、第３送信データと第２送信データとが第１ネットワークの上で衝突することを低減できるので、アドレス重複異常を知らせるデータが機器から送信された場合に、他の機器がアドレス重複異常をさらに確実に検出するようにすることができる。
【００１１】
第４発明に係る伝送制御装置は、第１発明から第３発明のいずれかの伝送制御装置であって、送信部は、判断部により第２送信データの送信元アドレスが第１機器のアドレスと重複していると判断された場合、第１ネットワークを経由して、第３送信データを同報的に送信する。
【００１２】
この伝送制御装置では、送信部は、判断部により第２送信データの送信元アドレスが第１機器のアドレスと重複していると判断された場合、第１ネットワークを経由して、第３送信データを同報的に送信する。これにより、第２機器のアドレスを指定せずに第２機器にアドレス重複異常を知らせることができる。
このように、アドレス重複異常を知らせるデータが機器から送信された場合に、他の機器のアドレスを指定せずに他の機器にアドレス重複異常を知らせることができるので、他の機器がアドレス重複異常を確実に検出するようにすることができる。
【００１３】
第５発明に係る伝送制御装置は、第１発明から第４発明のいずれかの伝送制御装置であって、決定部と、解除部とをさらに備える。決定部は、判断部により第２送信データの送信元アドレスが第１機器のアドレスと重複していると判断された場合に、アドレス重複異常が発生したことを決定する。解除部は、正常期間が第３時間以上であると判断する場合に、決定部が決定したアドレス重複異常を解除する。正常期間は、第２送信データの送信元アドレスが第１機器のアドレスと重複していないと判断部が判断する期間である。
【００１４】
この伝送制御装置では、決定部は、第２送信データの送信元アドレスが第１機器のアドレスと重複しているか否かの情報を判断部から受け取ることができる。決定部は、判断部により第２送信データの送信元アドレスが第１機器のアドレスと重複していると判断された場合に、アドレス重複異常が発生したことを決定する。そして、解除部は、第２送信データの送信元アドレスが第１機器のアドレスと重複しているか否かの情報を判断部から受け取ることができる。解除部は、正常期間が第３時間以上であるか否かを判断することができる。解除部は、正常期間が第３時間以上であると判断する場合に、アドレス重複異常が解消したと判断することができるので、決定部が決定したアドレス重複異常を解除する。
このように、アドレス重複異常が解消したと判断することができる場合に、決定部が決定したアドレス重複異常を解除部が解除するので、機器がリセットされなくてもアドレス重複異常をクリアすることができる。
【００１５】
第６発明に係る機器管理システムは、第１アダプタと、第２アダプタと、集中管理装置と、第１設備機器と、第２設備機器とを備える。第１アダプタは、第１発明から第５発明のいずれかの伝送制御装置を有している。第１アダプタは、第１ネットワークに接続されている。第２アダプタは、第１発明から第５発明のいずれかの伝送制御装置を有している。第２アダプタは、第１ネットワークを介して第１アダプタに接続されている。集中管理装置は、第１ネットワークを介して第１アダプタ及び第２アダプタに接続されている。第１設備機器は、第２ネットワークを介して第１アダプタに接続されている。第２設備機器は、第３ネットワークを介して第２アダプタに接続されている。
【００１６】
この機器管理システムでは、第１設備機器は、第２ネットワークを介して第１アダプタに接続されている。これにより、第１設備機器に関する情報を、第２ネットワークを介して第１アダプタに送信することができる。また、第２設備機器は、第３ネットワークを介して第２アダプタに接続されている。これにより、第２設備機器に関する情報を、第３ネットワークを介して第２アダプタに送信することができる。そして、集中管理装置は、第１ネットワークを介して第１アダプタ及び第２アダプタに接続されている。これにより、第１アダプタ及び第２アダプタを集中的に管理することができるとともに、第１アダプタ及び第２アダプタを介して第１設備機器及び第２設備機器を集中的に管理することができる。
【００１７】
一方、第１アダプタの判断部は、第２送信データの送信元アドレスが第１アダプタのアドレスと重複しているか否かを判断する。第１アダプタの送信部は、第２送信データの送信元アドレスが第１アダプタのアドレスと重複しているか否かの情報を判断部から受け取ることができる。第１アダプタの送信部は、判断部により第２送信データの送信元アドレスが第１アダプタのアドレスと重複していると判断された場合、第１ネットワークを経由して、第３送信データを自発的に送信する。第３送信データは、異常通知信号を含む。これにより、第１アダプタに対して外部からの指令がなくても、第２アダプタにアドレス重複異常を知らせることができる。
このように、アダプタに対して外部からの指令がなくても、他のアダプタがアドレス重複異常を検出するようにすることができる。
【００１８】
第７発明に係る伝送制御方法は、第１機器において行われる伝送制御方法であって、受信ステップと、判断ステップと、送信ステップとを備える。第１機器は、第１ネットワークを介して、第２機器に接続されている。第１ネットワークは、外部からの指令に応じてデータが送信されるネットワークであり、優先度が同じデータが衝突した場合に第１時間が経過した後にデータが再送されるネットワークである。第１時間は、固定的な時間である。受信ステップでは、第１ネットワークを経由して第２機器から第２送信データが受信される。判断ステップでは、第２送信データの送信元アドレスが第１機器のアドレスと重複しているか否かが判断される。送信ステップでは、判断ステップにおいて第２送信データの送信元アドレスが第１機器のアドレスと重複していると判断された場合に、第１ネットワークを経由して、第３送信データが自発的に送信される。第３送信データは、異常通知信号を含む。異常通知信号は、アドレス重複異常を知らせる信号である。
【００１９】
この伝送制御方法では、判断ステップにおいて、第２送信データの送信元アドレスが第１機器のアドレスと重複しているか否かが判断される。送信ステップにおいて、第２送信データの送信元アドレスが第１機器のアドレスと重複しているか否かの情報が受け取られ得る。送信ステップにおいて、判断ステップで第２送信データの送信元アドレスが第１機器のアドレスと重複していると判断された場合、第１ネットワークを経由して、第３送信データが自発的に送信される。これにより、第１機器に対して外部からの指令がなくても、第２機器にアドレス重複異常が知らされるようにすることができる。
【００２０】
このように、機器に対して外部からの指令がなくても、他の機器がアドレス重複異常を検出するようにすることができる。
【発明の効果】
【００２１】
第１発明に係る伝送制御装置では、機器に対して外部からの指令がなくても、他の機器がアドレス重複異常を検出するようにすることができる。
第２発明に係る伝送制御装置では、アドレス重複異常を知らせるデータが機器から送信された場合に、他の機器にアドレス重複異常を周期的に知らせることができるので、他の機器がアドレス重複異常を確実に検出するようにすることができる。
【００２２】
第３発明に係る伝送制御装置では、第３送信データと第２送信データとが第１ネットワークの上で衝突することを低減できるので、アドレス重複異常を知らせるデータが機器から送信された場合に、他の機器がアドレス重複異常をさらに確実に検出するようにすることができる。
第４発明に係る伝送制御装置では、アドレス重複異常を知らせるデータが機器から送信された場合に、他の機器のアドレスを指定せずに他の機器にアドレス重複異常を知らせることができるので、他の機器がアドレス重複異常を確実に検出するようにすることができる。
【００２３】
第５発明に係る伝送制御装置では、アドレス重複異常が解消したと判断することができる場合に、決定部が決定したアドレス重複異常を解除部が解除するので、機器がリセットされなくてもアドレス重複異常をクリアすることができる。
第６発明に係る機器管理システムでは、アダプタに対して外部からの指令がなくても、他のアダプタがアドレス重複異常を検出するようにすることができる。
【００２４】
第７発明に係る伝送制御方法では、機器に対して外部からの指令がなくても、他の機器がアドレス重複異常を検出するようにすることができる。
【発明を実施するための最良の形態】
【００２５】
本発明の実施形態に係る機器管理システムの構成図を図１に示す。
（機器管理システムの概略構成）
機器管理システム１は、主として、管理センター８０，第１アダプタ４０，第１設備機器５０，第２アダプタ６０，第２設備機器７０，第１ネットワーク１０，第２ネットワーク２０及び第３ネットワーク３０を備える。
【００２６】
管理センター８０と第１アダプタ４０と第２アダプタ６０とは、互いに第１ネットワーク１０で接続されている。ここで、第１ネットワーク１０は、設備機器の間の通信に適した独自規格のネットワークである。具体的には、第１ネットワーク１０では、その仕様により、外部からの指令（例えば、電源投入の指令、（管理センター８０からの）状態通知の指令、運転状態変化の指令など）に応じて、データが機器から送信されるようになっている。また、第１ネットワーク１０では、機器から送信された優先度が同じデータが衝突した場合、第１時間Ｔ１（図９参照）が経過した後に、そのデータが再送されるようになっている。
【００２７】
第１アダプタ４０と第１設備機器５０とは、第２ネットワーク２０で接続されている。第２アダプタ６０と第２設備機器７０とは、第３ネットワーク３０で接続されている。
（機器管理システムの概略動作）
第１アダプタ４０は、第１２情報を、第２ネットワーク２０経由で第１設備機器５０から受信するとともに記憶する。第１２情報は、第１設備機器５０に関する情報である。また、第１アダプタ４０は、第１１情報を記憶する。第１１情報は、自分自身（第１アダプタ４０）に関する情報である。
【００２８】
第１アダプタ４０は、第１１情報や第１２情報などを、外部からの指令（例えば、電源投入の指令、（管理センター８０からの）状態通知の指令、運転状態変化の指令など）があった場合に、第１ネットワーク１０経由で同報的に（送信先としてブロードキャストアドレスを指定して）送信する。
ここで、特許文献１の技術では、外部からの指令（例えば、電源投入の指令、（管理センターからの）状態通知の指令、運転状態変化の指令など）がない限り、アドレス重複異常を知らせるデータが、第１アダプタから送信されない傾向にある。
【００２９】
それに対して、本発明では、第１アダプタ４０に後述のような構成が採用されているので、外部からの指令がなくても、アドレス重複異常を知らせるデータが、第１アダプタ４０から送信されるようになっている。
管理センター８０は、第１１情報や第１２情報などを第１ネットワーク１０経由で第１アダプタ４０から受信して記憶するとともに管理する。また、管理センター８０は、必要な情報（例えば、図９に示す状態通知の指令ＣＩなど）を第１ネットワーク１０経由で同報的に送信する。第１アダプタ４０は、その情報を受信する。第１アダプタ４０は、受信した情報を必要に応じて第２ネットワーク２０経由で第１設備機器５０へ送信する。
【００３０】
第２アダプタ６０及び第２設備機器７０に関しても、第１アダプタ４０及び第１設備機器５０と同様である。管理センター８０は、第２１情報や第２２情報などを第１ネットワーク１０経由で第２アダプタ６０から受信して記憶するとともに管理する。第２１情報は、第２アダプタ６０に関する情報である。第２２情報は、第２設備機器７０に関する情報である。
【００３１】
このように、管理センター８０は、第１１情報及び第２１情報を管理することにより、第１アダプタ４０及び第２アダプタ６０を集中的に管理する。また、管理センター８０は、第１２情報及び第２２情報を介して、第１設備機器５０及び第２設備機器７０を集中的に管理する。
（第１ネットワークの詳細構成及び詳細動作）
第１ネットワーク１０は、管理センター８０と第１アダプタ４０と第２アダプタ６０とを接続している。第１ネットワーク１０は、設備機器の間の通信に適した独自規格のネットワークである。
【００３２】
第１ネットワーク１０では、送信される信号が全て同報的に送信されるようになっている。
例えば、図９に示すように、第２送信データＤ２（図６参照）が第２アダプタ６０から送信された場合、その第２送信データＤ２は、第１ネットワーク１０を介して、タイミングＴＭ１において、管理センター８０（図１参照）と第１アダプタ４０とで受信される。
【００３３】
また、第１ネットワーク１０では、その仕様により、外部からの指令（例えば、電源投入の指令、（管理センター８０からの）状態通知の指令、運転状態変化の指令など）に応じて、データが機器から送信されるようになっている。
例えば、管理センター８０から状態通知の指令ＣＩが送信された場合、その状態通知の指令ＣＩは、第１ネットワーク１０を介して、第１アダプタ４０と第２アダプタ６０とで受信される。第１アダプタ４０は、状態通知の指令ＣＩに応じて、第１１情報や第１２情報などを含む第１送信データＤ１（図５参照）を第１ネットワーク１０へ送り出す。第２アダプタ６０は、状態通知の指令ＣＩに応じて、第２１情報や第２２情報などを含む第２送信データＤ２（図６参照）を第１ネットワーク１０へ送り出す。
【００３４】
さらに、第１ネットワーク１０では、機器から送信された優先度が同じ複数のデータが衝突した場合、第１時間Ｔ１が経過した後に、それらのデータが再送されるようになっている。
例えば、前述の状態通知の指令ＣＩは、タイミングＴＭ２の直前のタイミングにおいて、第１アダプタ４０と第２アダプタ６０とでほぼ同時に受信される。これにより、状態通知の指令ＣＩに応じて第１アダプタ４０から送信される第１送信データＤ１と、状態通知の指令ＣＩに応じて第２アダプタ６０から送信される第２送信データＤ２とは、タイミングＴＭ２において、第１ネットワーク１０へほぼ同時に送り出す。このため、第１送信データＤ１と第２送信データＤ２とは第１ネットワーク１０の上で衝突し、優先度が同じであるため第１送信データＤ１と第２送信データＤ２とはともに破棄される。そして、タイミングＴＭ２から第１時間Ｔ１が経過したタイミングにおいて、第１送信データＤ１及び第２送信データＤ２が、第１アダプタ４０及び第２アダプタ６０からそれぞれ送信されるが、第１送信データＤ１と第２送信データＤ２とは第１ネットワーク１０の上で再度衝突することになる。
【００３５】
なお、第１ネットワーク１０では、機器から送信された複数のデータが第１ネットワーク１０で衝突しても、それらのデータの優先度が異なれば、優先度が高いデータが優先的に送られて、優先度が低いデータが破棄されることになる。また、アドレスが同じであれば優先度も同じになる。アドレスが異なる場合には、優先度が同じ場合もあり、優先度が異なる場合もある。
【００３６】
（第１アダプタの詳細構成）
第１アダプタ４０は、図２に示すように、主として、伝送制御装置４１を備える。伝送制御装置４１は、主として、第１受信部４２，第１送信部４３，制御部４４，判断部４５，決定部４８，解除部４９，第２受信部４６，第２送信部４７及び記憶部５１を有する。
第１受信部４２及び第１送信部４３は、第１ネットワーク１０に接続されており、制御部４４にも接続されている。第２受信部４６及び第２送信部４７は、第２ネットワーク２０に接続されており、制御部４４にも接続されている。判断部４５，決定部４８，解除部４９及び記憶部５１は、制御部４４に接続されている。
【００３７】
（第１アダプタの詳細動作）
（（アドレス重複異常に関する動作））
第１受信部４２は、第１ネットワーク１０を経由して第２アダプタ６０から第２送信データＤ２（図６参照）を受信する。ここで、第２送信データＤ２は、第２アダプタ６０から同報的に送信されたデータである。制御部４４は、第２送信データＤ２を第１受信部４２から受け取り判断部４５へ渡す。
【００３８】
判断部４５は、第２送信データＤ２の送信元アドレスＤ２３（図６参照）が第１アダプタ４０のアドレスと重複しているか否かを判断する。第１送信部４３は、第２送信データＤ２の送信元アドレスＤ２３が第１アダプタ４０のアドレスと重複しているか否かの情報を、制御部４４経由で判断部４５から受け取る。第１送信部４３は、判断部４５により第２送信データＤ２の送信元アドレスＤ２３が第１アダプタ４０のアドレスと重複していると判断された場合に、第１ネットワーク１０を経由して、異常通知信号Ｄ３４を含む第３送信データＤ３（図７参照）を自発的に送信する。このとき、第１送信部４３は、第３送信データＤ３を同報的に送信する。
【００３９】
一方、決定部４８は、第２送信データＤ２の送信元アドレスＤ２３が第１アダプタ４０のアドレスと重複しているか否かの情報を、制御部４４経由で判断部４５から受け取る。決定部４８は、判断部４５により第２送信データＤ２の送信元アドレスＤ２３が第１アダプタ４０のアドレスと重複していると判断された場合に、アドレス重複異常が発生したことを決定する。
【００４０】
また、解除部４９は、第２送信データＤ２の送信元アドレスＤ２３が第１アダプタ４０のアドレスと重複しているか否かの情報を、制御部４４経由で判断部４５から受け取る。解除部４９は、正常期間が第３時間以上であるか否かを判断する。ここで、正常期間は、第２送信データＤ２の送信元アドレスＤ２３が第１アダプタ４０のアドレスと重複していないと判断部４５が判断する期間である。第３時間は、アドレス重複異常が解消して安定していると判断されるのに十分な時間である。解除部４９は、正常期間が第３時間以上であると判断する場合に、すなわち、アドレス重複異常が解消したと判断する場合に、決定部４８が決定したアドレス重複異常を解除する。
【００４１】
（（機器管理に関する動作））
第２受信部４６は、第２ネットワーク２０経由で第１設備機器５０から第１２情報を受信する。ここで、第１２情報は、第１設備機器５０に関する情報であり、例えば、第１設備機器５０の運転状態を示す情報である。第２受信部４６は、第１２情報を制御部４４経由で記憶部５１へ渡す。記憶部５１は、第１２情報を記憶する。また、記憶部５１は、第１１情報を制御部４４から受け取り記憶する。ここで、第１１情報は、第１アダプタ４０に関する情報であり、例えば、第１アダプタ４０の稼働状態に関する情報である。
【００４２】
第１受信部４２は、第１ネットワーク１０経由で管理センター８０から機器管理情報（例えば、図９に示す状態通知の指令ＣＩなど）を受信する。ここで、機器管理情報は、第１アダプタ４０及び第１設備機器５０の管理（監視・制御）に必要な情報である。制御部４４は、機器管理情報を第１受信部４２から受け取る。制御部４４は、機器管理情報に応じて、第１１情報や第１２情報などを含んだオペコードＤ１４（図５参照）を生成して第２送信部４７へ渡す。第２送信部４７は、オペコードＤ１４を含んだ第１送信データＤ１（図５参照）を生成して第１ネットワーク１０経由で同報的に送信する。
【００４３】
（第２アダプタの詳細構成）
第２アダプタ６０は、図３に示すように、主として、伝送制御装置６１を備える。伝送制御装置６１は、主として、第１受信部６２，第１送信部６３，制御部６４，判断部６５，決定部６８，解除部６９，第２受信部６６，第２送信部６７及び記憶部７１を有する。
第１受信部６２及び第１送信部６３は、第１ネットワーク１０に接続されており、制御部６４にも接続されている。第２受信部６６及び第２送信部６７は、第３ネットワーク３０に接続されており、制御部６４にも接続されている。判断部６５，決定部６８，解除部６９及び記憶部７１は、制御部６４に接続されている。
【００４４】
（第２アダプタの詳細動作）
（（アドレス重複異常に関する動作））
第１受信部６２は、第１ネットワーク１０を経由して第１アダプタ４０から第１送信データＤ１（図５参照）を受信する。ここで、第１送信データＤ１は、第１アダプタ４０から同報的に送信されたデータである。制御部４４は、第１送信データＤ１を第１受信部６２から受け取り判断部６５へ渡す。
【００４５】
判断部６５は、第１送信データＤ１の送信元アドレスＤ１３（図５参照）が第２アダプタ６０のアドレスと重複しているか否かを判断する。第１送信部６３は、第１送信データＤ１の送信元アドレスＤ１３が第２アダプタ６０のアドレスと重複しているか否かの情報を、制御部６４経由で判断部６５から受け取る。第１送信部６３は、判断部６５により第１送信データＤ１の送信元アドレスＤ１３が第２アダプタ６０のアドレスと重複していると判断された場合に、第１ネットワーク１０を経由して、異常通知信号Ｄ４４を含む第４送信データＤ４（図８参照）を自発的に送信する。このとき、第１送信部６３は、第４送信データＤ４を同報的に送信する。
【００４６】
一方、決定部６８は、第１送信データＤ１の送信元アドレスＤ１３が第２アダプタ６０のアドレスと重複しているか否かの情報を、制御部６４経由で判断部６５から受け取る。決定部６８は、判断部６５により第１送信データＤ１の送信元アドレスＤ１３が第２アダプタ６０のアドレスと重複していると判断された場合に、アドレス重複異常が発生したことを決定する。
【００４７】
また、解除部６９は、第１送信データＤ１の送信元アドレスＤ１３が第２アダプタ６０のアドレスと重複しているか否かの情報を、制御部６４経由で判断部６５から受け取る。解除部６９は、正常期間が第３時間以上であるか否かを判断する。ここで、正常期間は、第１送信データＤ１の送信元アドレスＤ１３が第２アダプタ６０のアドレスと重複していないと判断部６５が判断する期間である。第３時間は、アドレス重複異常が解消して安定していると判断されるのに十分な時間である。解除部６９は、正常期間が第３時間以上であると判断する場合に、すなわち、アドレス重複異常が解消したと判断する場合に、決定部６８が決定したアドレス重複異常を解除する。
【００４８】
（（機器管理に関する動作））
第２受信部６６は、第２ネットワーク２０経由で第１設備機器５０から第２２情報を受信する。ここで、第２２情報は、第２設備機器７０に関する情報であり、例えば、第２設備機器７０の運転状態を示す情報である。第２受信部６６は、第２２情報を制御部６４経由で記憶部７１へ渡す。記憶部７１は、第２２情報を記憶する。また、記憶部７１は、第２１情報を制御部６４から受け取り記憶する。ここで、第２１情報は、第２アダプタ６０に関する情報であり、例えば、第２アダプタ６０の稼働状態に関する情報である。
【００４９】
第１受信部６２は、第１ネットワーク１０経由で管理センター８０から機器管理情報（例えば、図９に示す状態通知の指令ＣＩなど）を受信する。ここで、機器管理情報は、第２アダプタ６０及び第２設備機器７０の管理（監視・制御）に必要な情報である。制御部６４は、機器管理情報を第１受信部６２から受け取る。制御部６４は、機器管理情報に応じて、第２１情報や第２２情報などを含んだオペコードＤ２４（図６参照）を生成して第２送信部６７へ渡す。第２送信部６７は、オペコードＤ２４を含んだ第２送信データＤ２（図６参照）を生成して第１ネットワーク１０経由で同報的に送信する。
【００５０】
（第１送信データの詳細構成）
第１送信データＤ１は、第１アダプタ４０からの送信データである。第１送信データＤ１は、図５に示すように、主として、同期情報Ｄ１１，送信元アドレス情報Ｄ１２，送信先アドレス情報Ｄ１３及びオペコード情報Ｄ１４を含む。
同期情報Ｄ１１は、第１ネットワーク１０上において通信の同期を取るために必要な情報であり、第１送信データＤ１の先頭に置かれる。
【００５１】
送信先アドレス情報Ｄ１２は、第１送信データＤ１の送信先となる機器の第１ネットワーク１０上におけるアドレスを示す情報である。ここで、送信先アドレス情報Ｄ１２は、通常、ブロードキャストのアドレスとなる。
送信元アドレス情報Ｄ１３は、第１送信データＤ１の送信元となる機器の第１ネットワーク１０上におけるアドレスを示す情報であり、第１アダプタ４０のアドレスである。
【００５２】
オペコード情報Ｄ１４は、オペコードを示す情報であり、所定の命令を表している。
このように、第１送信データＤ１は、先頭に同期情報Ｄ１１が置かれているので、第１ネットワーク１０を介して送受信できるようになっている。また、第１送信データＤ１は、送信元アドレス情報Ｄ１３を含むので、どの機器から送信されたデータかを特定することができるようになっている。
【００５３】
（第２送信データの詳細構成）
第２送信データＤ２は、第２アダプタ６０からの送信データである。第２送信データＤ２は、図６に示すように、主として、同期情報Ｄ２１，送信元アドレス情報Ｄ２２，送信先アドレス情報Ｄ２３及びオペコード情報Ｄ２４を含む。
同期情報Ｄ２１は、第１ネットワーク１０上において通信の同期を取るために必要な情報であり、第２送信データＤ２の先頭に置かれる。
【００５４】
送信先アドレス情報Ｄ２２は、第２送信データＤ２の送信先となる機器の第１ネットワーク１０上におけるアドレスを示す情報である。ここで、送信先アドレス情報Ｄ２２は、通常、ブロードキャストのアドレスとなる。
送信元アドレス情報Ｄ２３は、第２送信データＤ２の送信元となる機器の第１ネットワーク１０上におけるアドレスを示す情報であり、第２アダプタ６０のアドレスである。
【００５５】
オペコード情報Ｄ２４は、オペコードを示す情報であり、所定の命令を表している。
このように、第２送信データＤ２は、先頭に同期情報Ｄ２１が置かれているので、第１ネットワーク１０を介して送受信できるようになっている。また、第２送信データＤ２は、送信元アドレス情報Ｄ２３を含むので、どの機器から送信されたデータかを特定することができるようになっている。
【００５６】
（第３送信データの詳細構成）
第３送信データＤ３は、第１アダプタ４０からの送信データである。第３送信データＤ３は、図７に示すように、主として、同期情報Ｄ３１，送信先アドレス情報Ｄ３２，送信元アドレス情報Ｄ３３及び異常通知信号Ｄ３４を含む。
同期情報Ｄ３１，送信先アドレス情報Ｄ３２及び送信元アドレス情報Ｄ３３は、第１送信データＤ１の同期情報Ｄ１１，送信先アドレス情報Ｄ１２及び送信元アドレス情報Ｄ１３（図５参照）と同様である。
【００５７】
異常通知信号Ｄ３４は、アドレス重複異常を知らせる信号であり、アドレス重複異常が発生しているのか否かを示すフラグを有している。
このように、第３送信データＤ３は、先頭に同期情報Ｄ３１が置かれているので、第１ネットワーク１０を介して送受信できるようになっている。また、第３送信データＤ３は、異常通知信号Ｄ３４を含むので、参照されることによりアドレス重複異常が発生しているのか否かを特定することができるようになっている。
【００５８】
（第４送信データの詳細構成）
第４送信データＤ４は、第２アダプタ６０からの送信データである。第４送信データＤ４は、図８に示すように、主として、同期情報Ｄ４１，送信先アドレス情報Ｄ４２，送信元アドレス情報Ｄ４３及び異常通知信号Ｄ４４を含む。
同期情報Ｄ４１，送信先アドレス情報Ｄ４２及び送信元アドレス情報Ｄ４３は、第２送信データＤ２の同期情報Ｄ２１，送信先アドレス情報Ｄ２２及び送信元アドレス情報Ｄ２３（図６参照）と同様である。
【００５９】
異常通知信号Ｄ４４は、アドレス重複異常を知らせる信号であり、アドレス重複異常が発生しているのか否かを示すフラグを有している。
このように、第４送信データＤ４は、先頭に同期情報Ｄ４１が置かれているので、第１ネットワーク１０を介して送受信できるようになっている。また、第４送信データＤ４は、異常通知信号Ｄ４４を含むので、参照されることによりアドレス重複異常が発生しているのか否かを特定することができるようになっている。
【００６０】
（機器管理システムにおいて伝送が制御される処理の流れ）
機器管理システムにおいて伝送が制御される処理の流れを、図４に示すフローチャートを用いて説明する。ここで、第１アダプタ４０に対して外部からの指令（例えば、電源投入の指令、（管理センターからの）状態通知の指令、運転状態変化の指令など）がない場合について説明する。また、第１アダプタ４０が第２アダプタ６０からデータを受信する場合について説明するが、第２アダプタ６０が第１アダプタ４０からデータを受信する場合も同様である。
【００６１】
ステップＳ１では、第２送信データの受信があるか否かが判断される。すなわち、第１アダプタ４０の第１受信部４２は、第１ネットワーク１０を経由して第２アダプタ６０から第２送信データＤ２（図６参照）が送られてきた場合に、その第２送信データＤ２を受信する。制御部４４は、第２送信データＤ２を第１受信部４２から受け取り判断部４５へ渡す。
【００６２】
そして、制御部４４は、第２送信データＤ２を第１受信部４２から受け取ったか否かを判断することにより、第２送信データＤ２の受信があるか否かを判断する。第２送信データＤ２の受信があると判断される場合、ステップＳ２へ進められ、第２送信データＤ２の受信がないと判断される場合、ステップＳ１へ進められる。
ステップＳ２では、アドレスが重複しているか否かが判断される。すなわち、第１アダプタ４０の判断部４５は、第２送信データＤ２の送信元アドレスＤ２３（図６参照）が第１アダプタ４０のアドレスと重複しているか否かを判断する。アドレスが重複していると判断される場合、ステップＳ３へ進められ、アドレスが重複していないと判断される場合、ステップＳ１へ進められる。
【００６３】
ステップＳ３では、アドレス重複異常が決定される。すなわち、第１アダプタ４０の決定部４８は、第２送信データＤ２の送信元アドレスＤ２３が第１アダプタ４０のアドレスと重複していると判断した旨の情報を、制御部４４経由で判断部４５から受け取る。そして、決定部４８は、第２送信データＤ２の送信元アドレスＤ２３が第１アダプタ４０のアドレスと重複していると判断した旨の情報に基づいて、アドレス重複異常が発生したことを決定する。
【００６４】
ステップＳ４では、第３送信データが送信される。すなわち、第１アダプタ４０の第１送信部４３は、第２送信データＤ２の送信元アドレスＤ２３が第１アダプタ４０のアドレスと重複している旨の情報を、制御部４４経由で判断部４５から受け取る。第１送信部４３は、異常通知信号Ｄ３４を含む第３送信データＤ３（図７参照）を生成するとともに、第１ネットワーク１０を経由して、第３送信データＤ３を自発的に送信する。このとき、第１送信部４３は、第３送信データＤ３を同報的に送信する。また、制御部４４は、第１送信部４３が第３送信データＤ３を送信した際に、経過時間を０にリセットする。
【００６５】
ステップＳ５では、第２送信データの受信があるか否かが判断される。すなわち、第１アダプタ４０の第１受信部４２は、第１ネットワーク１０を経由して第２アダプタ６０から第２送信データＤ２（図６参照）が送られてきた場合に、その第２送信データＤ２を受信する。制御部４４は、第２送信データＤ２を第１受信部４２から受け取り判断部４５へ渡す。
【００６６】
そして、制御部４４は、第２送信データＤ２を第１受信部４２から受け取ったか否かを判断することにより、第２送信データＤ２の受信があるか否かを判断する。第２送信データＤ２の受信があると判断される場合、ステップＳ６へ進められ、第２送信データＤ２の受信がないと判断される場合、ステップＳ７へ進められる。
ステップＳ６では、アドレスが重複しているか否かが判断される。すなわち、第１アダプタ４０の判断部４５は、第２送信データＤ２の送信元アドレスＤ２３（図６参照）が第１アダプタ４０のアドレスと重複しているか否かを判断する。アドレスが重複していると判断される場合、ステップＳ７へ進められ、アドレスが重複していないと判断される場合、ステップＳ８へ進められる。
【００６７】
ステップＳ７では、第１送信部による第３送信データの送信が行われてから第２時間だけ経過したか否かが判断される。すなわち、第１アダプタ４０の制御部４４は、経過時間をカウントし続けいている。そして、制御部４４は、経過時間の情報と第２時間Ｔ２（図１０参照）の情報とを比較して、第１送信部４３による第３送信データＤ３の送信が行われてから第２時間Ｔ２だけ経過したか否かを判断する。ここで、第２時間Ｔ２は、第１時間Ｔ１と異なる時間である（図１０参照）。第２時間Ｔ２だけ経過したと判断された場合、ステップＳ４へ進められて経過時間が０にリセットされ、第２時間Ｔ２だけ経過していないと判断された場合、ステップＳ５へ進められる。
【００６８】
ステップＳ８では、正常期間が第３時間以上であるか否かを判断する。すなわち、第１アダプタ４０の解除部４９は、第２送信データＤ２の送信元アドレスＤ２３が第１アダプタ４０のアドレスと重複していると判断した旨の情報を、制御部４４経由で判断部４５から受け取る。そして、解除部４９は、第２送信データＤ２の送信元アドレスＤ２３が第１アダプタ４０のアドレスと重複していると判断した旨の情報を受け取ったことに応じて、正常期間をカウントし始める。ここで、正常期間は、第２送信データＤ２の送信元アドレスＤ２３が第１アダプタ４０のアドレスと重複していないと判断部４５が判断している期間である。解除部４９は、正常期間の情報と第３時間の情報とを比較し、正常期間が第３時間以上であるか否かを判断する。正常期間が第３時間以上であると判断される場合、ステップＳ９へ進められ、正常期間が第３時間以上でないと判断される場合、ステップＳ８へ進められる。
【００６９】
ステップＳ９では、アドレス重複異常が解除される。すなわち、第１アダプタ４０の解除部４９は、決定部４８が決定したアドレス重複異常を解除する。
（機器管理システムに関する特徴）
（１）
ここでは、第１アダプタ４０の判断部４５は、第２送信データＤ２の送信元アドレスＤ２３が第１アダプタ４０のアドレスと重複しているか否かを判断する。第１送信部４３は、第２送信データＤ２の送信元アドレスＤ２３が第１アダプタ４０のアドレスと重複しているか否かの情報を、制御部４４経由で判断部４５から受け取る。第１送信部４３は、判断部４５により第２送信データＤ２の送信元アドレスＤ２３が第１アダプタ４０のアドレスと重複していると判断された場合、第１ネットワーク１０を経由して、第３送信データＤ３を自発的に送信する。第３送信データＤ３は、異常通知信号Ｄ３４を含む。これにより、第１アダプタ４０に対して外部からの指令がなくても、第２アダプタ６０にアドレス重複異常を知らせることができるようになっている。
【００７０】
このように、アダプタに対して外部からの指令がなくても、他のアダプタがアドレス重複異常を検出するようにすることができるようになっている。
（２）
ここでは、第１ネットワーク１０において、機器から送信された優先度が同じ複数のデータが衝突した場合、第１時間Ｔ１が経過した後に、それらのデータが再送されるようになっている。一方、第１アダプタ４０の第１送信部４３は、判断部４５により第２送信データＤ２の送信元アドレスＤ２３が第１アダプタ４０のアドレスと重複していると判断された場合、第１ネットワーク１０を経由して、第３送信データＤ３を、第２時間Ｔ２の間隔で周期的に送信する。ここで、第２時間Ｔ２は、第１時間Ｔ１と異なる時間である（図１０参照）。これにより、第３送信データＤ３と第２送信データＤ２とが第１ネットワーク１０の上で衝突したとしても、次に送信されたタイミングにおいて、第３送信データＤ３と第２送信データＤ２とが第１ネットワーク１０の上で衝突することは低減される（図９及び図１０参照）。
【００７１】
このように、第３送信データＤ３と第２送信データＤ２とが第１ネットワーク１０の上で衝突することが低減されるので、アドレス重複異常を知らせるデータ（第３送信データＤ３）が機器（第１アダプタ４０）から送信された場合に、他の機器（第２アダプタ６０）がアドレス重複異常を確実に検出するようにすることができるようになっている。
（３）
ここでは、第１アダプタ４０の第１送信部４３は、判断部４５により第２送信データＤ２の送信元アドレスＤ２３が第１アダプタ４０のアドレスと重複していると判断された場合、第１ネットワーク１０を経由して、第３送信データＤ３を同報的に送信する。これにより、第２アダプタ６０のアドレスを指定せずに第２アダプタ６０にアドレス重複異常を知らせることができるようになっている。
【００７２】
このように、アドレス重複異常を知らせるデータ（第３送信データＤ３）が機器（第１アダプタ４０）から送信された場合に、他の機器（第２アダプタ６０）のアドレスを指定せずに他の機器（第２アダプタ６０）にアドレス重複異常を知らせることができるようになっているので、他の機器（第２アダプタ６０）がアドレス重複異常を確実に検出するようにすることができるようになっている。
【００７３】
（４）
ここでは、第１アダプタ４０の決定部４８は、第２送信データＤ２の送信元アドレスＤ２３が第１アダプタ４０のアドレスと重複しているか否かの情報を、制御部４４経由で判断部４５から受け取る。決定部４８は、判断部４５により第２送信データＤ２の送信元アドレスＤ２３が第１アダプタ４０のアドレスと重複していると判断された場合に、アドレス重複異常が発生したことを決定する。そして、解除部４９は、第２送信データＤ２の送信元アドレスＤ２３が第１アダプタ４０のアドレスと重複しているか否かの情報を、制御部４４経由で判断部４５から受け取る。そして、解除部４９は、正常期間が第３時間以上であるか否かを判断する。解除部４９は、正常期間が第３時間以上であると判断する場合に、アドレス重複異常が解消したと判断するので、決定部４８が決定したアドレス重複異常を解除する。
【００７４】
このように、アドレス重複異常が解消したと判断される場合に、決定部４８が決定したアドレス重複異常を解除部４９が解除するので、機器（第１アダプタ４０）がリセットされなくてもアドレス重複異常はクリアされる。
【産業上の利用可能性】
【００７５】
本発明に係る伝送制御装置、機器管理システム及び伝送制御方法は、機器に対して外部からの指令がなくても、他の機器がアドレス重複異常を検出するようにすることができるという効果を有し、伝送制御装置、機器管理システム及び伝送制御方法等として有用である。
【図面の簡単な説明】
【００７６】
【図１】本発明の実施形態に係る機器管理システムの構成図
【図２】本発明の実施形態における第１アダプタの構成図。
【図３】本発明の実施形態における第２アダプタの構成図。
【図４】機器管理システムにおいて伝送が制御される処理の流れを示すフローチャート。
【図５】第１送信データの構成を示す図。
【図６】第２送信データの構成を示す図。
【図７】第３送信データの構成を示す図。
【図８】第４送信データの構成を示す図。
【図９】第１ネットワークの仕様を示す図。
【図１０】第３送信データが送信されるタイミングを示す図。
【符号の説明】
【００７７】
１  機器管理システム
１０  第１ネットワーク
２０  第２ネットワーク
３０  第３ネットワーク
４０  第１アダプタ
４１  伝送制御装置
４２  第１受信部
４３  第１送信部
４５  判断部
４８  決定部
５０  第１設備機器
６０  第２アダプタ
６１  伝送制御装置
６２  第１受信部
６３  第１送信部
６５  判断部
６８  決定部
７０  第２設備機器
８０  管理センター
【図１】
2007228234.tif 000003
【図２】
2007228234.tif 000004
【図３】
2007228234.tif 000005
【図４】
2007228234.tif 000006
【図５】
2007228234.tif 000007
【図６】
2007228234.tif 000008
【図７】
2007228234.tif 000009
【図８】
2007228234.tif 000010
【図９】
2007228234.tif 000011
【図１０】
2007228234.tif 000012
【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
その仕様によりデータが衝突した場合に固定的な時間である第１時間が経過した後にデータが再送されるネットワークである第１ネットワーク（１０）を介して、第２機器（６０，４０）に接続された第１機器（４０，６０）が有している伝送制御装置（４１，６１）であって、
前記第１ネットワーク（１０）を経由して前記第２機器（６０，４０）から第２送信データを受信する受信部（４２，６２）と、
前記第２送信データの送信元アドレスが前記第１機器（４０，６０）のアドレスと重複しているか否かを判断する判断部（４５，６５）と、
前記判断部（４５，６５）により前記第２送信データの送信元アドレスが前記第１機器（４０，６０）のアドレスと重複していると判断された場合、前記第１ネットワーク（１０）を経由して、アドレス重複異常を知らせる信号である異常通知信号を含む第３送信データを自発的に前記第１時間と異なる時間である第２時間の間隔で周期的に送信する送信部（４３，６３）と、
を備えた、
伝送制御装置（４１，６１）。
【請求項２】
前記第１ネットワーク（１０）では、その仕様により、全てのデータが同報的に送信される、
請求項１に記載の伝送制御装置（４１，６１）。
【請求項３】
前記送信部（４３，６３）は、前記判断部（４５，６５）により前記第２送信データの送信元アドレスが前記第１機器（４０，６０）のアドレスと重複していると判断された場合、前記第１ネットワーク（１０）を経由して、前記第３送信データを同報的に送信する、
請求項１または２に記載の伝送制御装置（４１，６１）。
【請求項４】
前記判断部（４５，６５）により前記第２送信データの送信元アドレスが前記第１機器（４０，６０）のアドレスと重複していると判断された場合に、アドレス重複異常が発生したことを決定する決定部（４８，６８）と、
前記第２送信データの送信元アドレスが前記第１機器（４０，６０）のアドレスと重複していないと前記判断部（４５，６５）が判断している期間である正常期間が第３時間以上であると判断する場合に、前記決定部（４８，６８）が決定した前記アドレス重複異常を解除する解除部（４９，６９）と、
をさらに備えた、
請求項１から３のいずれか１項に記載の伝送制御装置（４１，６１）。
【請求項５】
請求項１から４のいずれか１項に記載の伝送制御装置（４１）を有し、前記第１ネットワーク（１０）に接続されている第１アダプタ（４０）と、
請求項１から４のいずれか１項に記載の伝送制御装置（６１）を有し、前記第１ネットワーク（１０）を介して前記第１アダプタ（４０）に接続された第２アダプタ（６０）と、
前記第１ネットワーク（１０）を介して前記第１アダプタ（４０）及び前記第２アダプタ（６０）に接続されている集中管理装置（８０）と、
第２ネットワーク（２０）を介して前記第１アダプタ（４０）に接続された第１設備機器（５０）と、
第３ネットワーク（３０）を介して前記第２アダプタ（６０）に接続された第２設備機器（７０）と、
を備えた、
機器管理システム（１）。
【請求項６】
その仕様によりデータが衝突した場合に固定的な時間である第１時間が経過した後にデータが再送されるネットワークである第１ネットワーク（１０）を介して、第２機器（６０，４０）に接続された第１機器（４０，６０）において行われる伝送制御方法であって、
前記第１ネットワーク（１０）を経由して前記第２機器（６０，４０）から第２送信データが受信される受信ステップと、
前記第２送信データの送信元アドレスが前記第１機器（４０，６０）のアドレスと重複しているか否かが判断される判断ステップと、
前記判断ステップにおいて前記第２送信データの送信元アドレスが前記第１機器（４０，６０）のアドレスと重複していると判断された場合、前記第１ネットワーク（１０）を経由して、アドレス重複異常を知らせる信号である異常通知信号を含む第３送信データが自発的に前記第１時間と異なる時間である第２時間の間隔で周期的に送信される送信ステップと、
を備えた、
伝送制御方法。
【手続補正２】
【補正対象書類名】明細書
【補正対象項目名】全文
【補正方法】変更
【補正の内容】
【発明の詳細な説明】
【技術分野】
【０００１】
本発明は、伝送制御装置、機器管理システム及び伝送制御方法に関する。
【背景技術】
【０００２】
従来から、空調機器などの設備機器の間の通信に適した独自規格のネットワークを介して、データが送受信されるような技術が提案されている（例えば、特許文献１参照）。
【特許文献１】特開２００４−３５６９３５号公報（第１−１９頁、第１−１３図）
【発明の開示】
【発明が解決しようとする課題】
【０００３】
特許文献１の技術では、アドレス重複異常が発生しているかどうか機器が知りたい場合でも、ネットワークの仕様により、外部からの指令（例えば、電源投入の指令、（集中管理装置からの）状態通知の指令、運転状態変化の指令など）がない限り、アドレス重複異常を知らせるデータが機器から送信されない傾向にある。これにより、機器に対して外部からの指令がない限り、他の機器がアドレス重複異常を検出するようにできないことがある。
【０００４】
また、特許文献１の技術では、外部からの指令（例えば、（集中管理装置からの）状態通知の指令など）があった場合にアドレス重複異常を知らせるデータが機器から送信されても、そのデータが他の機器から送信されたデータとネットワーク上で衝突することがある。その場合、ネットワークの仕様により、その機器と他の機器とから、固定的な時間を経過した後に同時にデータが再送される傾向にある。これにより、その機器から送信されたデータと他の機器から送信されたデータとがネットワーク上で再び衝突する傾向にあるので、アドレス重複異常を知らせるデータが機器から送信されても、他の機器がアドレス重複異常を検出するようにできないことがある。
【０００５】
本発明の課題は、他の機器がアドレス重複異常を検出するようにすることができる伝送制御装置、機器管理システム及び伝送制御方法を提供することにある。
【課題を解決するための手段】
【０００６】
第１発明に係る伝送制御装置は、第１機器が有している伝送制御装置であって、受信部と、判断部と、送信部とを備える。第１機器は、第１ネットワークを介して、第２機器に接続されている。第１ネットワークは、その仕様によりデータが衝突した場合に第１時間が経過した後にデータが再送されるネットワークである。第１時間は、固定的な時間である。受信部は、第１ネットワークを経由して第２機器から第２送信データを受信する。判断部は、第２送信データの送信元アドレスが第１機器のアドレスと重複しているか否かを判断する。送信部は、判断部により第２送信データの送信元アドレスが第１機器のアドレスと重複していると判断された場合、第１ネットワークを経由して、第３送信データを自発的に第２時間の間隔で周期的に送信する。第３送信データは、異常通知信号を含む。異常通知信号は、アドレス重複異常を知らせる信号である。第２時間は、第１時間と異なる時間である。
【０００７】
この伝送制御装置では、判断部は、第２送信データの送信元アドレスが第１機器のアドレスと重複しているか否かを判断する。送信部は、第２送信データの送信元アドレスが第１機器のアドレスと重複しているか否かの情報を判断部から受け取ることができる。送信部は、判断部により第２送信データの送信元アドレスが第１機器のアドレスと重複していると判断された場合、第１ネットワークを経由して、第３送信データを自発的に第２時間の間隔で周期的に送信する。第３送信データは、異常通知信号を含む。これにより、第２機器にアドレス重複異常を周期的に知らせることができる。
【０００８】
このように、他の機器がアドレス重複異常を検出するようにすることができる。
【０００９】
第２発明に係る伝送制御装置は、第１発明の伝送制御装置であって、第１ネットワークでは、その仕様により、全てのデータが同報的に送信される。
【００１０】
第３発明に係る伝送制御装置は、第１発明又は第２発明の伝送制御装置であって、送信部は、判断部により第２送信データの送信元アドレスが第１機器のアドレスと重複していると判断された場合、第１ネットワークを経由して、第３送信データを同報的に送信する。
【００１１】
この伝送制御装置では、送信部は、判断部により第２送信データの送信元アドレスが第１機器のアドレスと重複していると判断された場合、第１ネットワークを経由して、第３送信データを同報的に送信する。これにより、第２機器のアドレスを指定せずに第２機器にアドレス重複異常を知らせることができる。
【００１２】
このように、アドレス重複異常を知らせるデータが機器から送信された場合に、他の機器のアドレスを指定せずに他の機器にアドレス重複異常を知らせることができるので、他の機器がアドレス重複異常を確実に検出するようにすることができる。
【００１３】
第４発明に係る伝送制御装置は、第１発明から第３発明のいずれかの伝送制御装置であって、決定部と、解除部とをさらに備える。決定部は、判断部により第２送信データの送信元アドレスが第１機器のアドレスと重複していると判断された場合に、アドレス重複異常が発生したことを決定する。解除部は、正常期間が第３時間以上であると判断する場合に、決定部が決定したアドレス重複異常を解除する。正常期間は、第２送信データの送信元アドレスが第１機器のアドレスと重複していないと判断部が判断する期間である。
【００１４】
この伝送制御装置では、決定部は、第２送信データの送信元アドレスが第１機器のアドレスと重複しているか否かの情報を判断部から受け取ることができる。決定部は、判断部により第２送信データの送信元アドレスが第１機器のアドレスと重複していると判断された場合に、アドレス重複異常が発生したことを決定する。そして、解除部は、第２送信データの送信元アドレスが第１機器のアドレスと重複しているか否かの情報を判断部から受け取ることができる。解除部は、正常期間が第３時間以上であるか否かを判断することができる。解除部は、正常期間が第３時間以上であると判断する場合に、アドレス重複異常が解消したと判断することができるので、決定部が決定したアドレス重複異常を解除する。
【００１５】
このように、アドレス重複異常が解消したと判断することができる場合に、決定部が決定したアドレス重複異常を解除部が解除するので、機器がリセットされなくてもアドレス重複異常をクリアすることができる。
【００１６】
第５発明に係る機器管理システムは、第１アダプタと、第２アダプタと、集中管理装置と、第１設備機器と、第２設備機器とを備える。第１アダプタは、第１発明から第４発明のいずれかの伝送制御装置を有している。第１アダプタは、第１ネットワークに接続されている。第２アダプタは、第１発明から第４発明のいずれかの伝送制御装置を有している。第２アダプタは、第１ネットワークを介して第１アダプタに接続されている。集中管理装置は、第１ネットワークを介して第１アダプタ及び第２アダプタに接続されている。第１設備機器は、第２ネットワークを介して第１アダプタに接続されている。第２設備機器は、第３ネットワークを介して第２アダプタに接続されている。
【００１７】
この機器管理システムでは、第１設備機器は、第２ネットワークを介して第１アダプタに接続されている。これにより、第１設備機器に関する情報を、第２ネットワークを介して第１アダプタに送信することができる。また、第２設備機器は、第３ネットワークを介して第２アダプタに接続されている。これにより、第２設備機器に関する情報を、第３ネットワークを介して第２アダプタに送信することができる。そして、集中管理装置は、第１ネットワークを介して第１アダプタ及び第２アダプタに接続されている。これにより、第１アダプタ及び第２アダプタを集中的に管理することができるとともに、第１アダプタ及び第２アダプタを介して第１設備機器及び第２設備機器を集中的に管理することができる。
【００１８】
一方、第１アダプタの判断部は、第２送信データの送信元アドレスが第１アダプタのアドレスと重複しているか否かを判断する。第１アダプタの送信部は、第２送信データの送信元アドレスが第１アダプタのアドレスと重複しているか否かの情報を判断部から受け取ることができる。第１アダプタの送信部は、判断部により第２送信データの送信元アドレスが第１アダプタのアドレスと重複していると判断された場合、第１ネットワークを経由して、第３送信データを自発的に第２時間の間隔で周期的に送信する。第３送信データは、異常通知信号を含む。これにより、第２機器にアドレス重複異常を周期的に知らせることができる。
【００１９】
このように、他のアダプタがアドレス重複異常を検出するようにすることができる。
【００２０】
第６発明に係る伝送制御方法は、第１機器において行われる伝送制御方法であって、受信ステップと、判断ステップと、送信ステップとを備える。第１機器は、第１ネットワークを介して、第２機器に接続されている。第１ネットワークは、外部からの指令に応じてデータが送信されるネットワークであり、その仕様によりデータが衝突した場合に第１時間が経過した後にデータが再送されるネットワークである。第１時間は、固定的な時間である。受信ステップでは、第１ネットワークを経由して第２機器から第２送信データが受信される。判断ステップでは、第２送信データの送信元アドレスが第１機器のアドレスと重複しているか否かが判断される。送信ステップでは、判断ステップにおいて第２送信データの送信元アドレスが第１機器のアドレスと重複していると判断された場合に、第１ネットワークを経由して、第３送信データが自発的に第２時間の間隔で周期的に送信される。第３送信データは、異常通知信号を含む。異常通知信号は、アドレス重複異常を知らせる信号である。第２時間は、第１時間と異なる時間である。
【００２１】
この伝送制御方法では、判断ステップにおいて、第２送信データの送信元アドレスが第１機器のアドレスと重複しているか否かが判断される。送信ステップにおいて、第２送信データの送信元アドレスが第１機器のアドレスと重複しているか否かの情報が受け取られ得る。送信ステップにおいて、判断ステップで第２送信データの送信元アドレスが第１機器のアドレスと重複していると判断された場合、第１ネットワークを経由して、第３送信データが自発的に第２時間の間隔で周期的に送信される。これにより、第２機器にアドレス重複異常が周期的に知らされるようにすることができる。
【００２２】
このように、他の機器がアドレス重複異常を検出するようにすることができる。
【発明の効果】
【００２３】
第１発明に係る伝送制御装置では、他の機器がアドレス重複異常を検出するようにすることができる。
【００２４】
第３発明に係る伝送制御装置では、アドレス重複異常を知らせるデータが機器から送信された場合に、他の機器のアドレスを指定せずに他の機器にアドレス重複異常を知らせることができるので、他の機器がアドレス重複異常を確実に検出するようにすることができる。
【００２５】
第４発明に係る伝送制御装置では、アドレス重複異常が解消したと判断することができる場合に、決定部が決定したアドレス重複異常を解除部が解除するので、機器がリセットされなくてもアドレス重複異常をクリアすることができる。
【００２６】
第５発明に係る機器管理システムでは、他のアダプタがアドレス重複異常を検出するようにすることができる。
【００２７】
第６発明に係る伝送制御方法では、他の機器がアドレス重複異常を検出するようにすることができる。
【発明を実施するための最良の形態】
【００２８】
本発明の実施形態に係る機器管理システムの構成図を図１に示す。
【００２９】
（機器管理システムの概略構成）
機器管理システム１は、主として、管理センター８０，第１アダプタ４０，第１設備機器５０，第２アダプタ６０，第２設備機器７０，第１ネットワーク１０，第２ネットワーク２０及び第３ネットワーク３０を備える。
【００３０】
管理センター８０と第１アダプタ４０と第２アダプタ６０とは、互いに第１ネットワーク１０で接続されている。ここで、第１ネットワーク１０は、設備機器の間の通信に適した独自規格のネットワークである。具体的には、第１ネットワーク１０では、その仕様により、外部からの指令（例えば、電源投入の指令、（管理センター８０からの）状態通知の指令、運転状態変化の指令など）に応じて、データが機器から送信されるようになっている。また、第１ネットワーク１０では、機器から送信された優先度が同じデータが衝突した場合、第１時間Ｔ１（図９参照）が経過した後に、そのデータが再送されるようになっている。
【００３１】
第１アダプタ４０と第１設備機器５０とは、第２ネットワーク２０で接続されている。第２アダプタ６０と第２設備機器７０とは、第３ネットワーク３０で接続されている。
【００３２】
（機器管理システムの概略動作）
第１アダプタ４０は、第１２情報を、第２ネットワーク２０経由で第１設備機器５０から受信するとともに記憶する。第１２情報は、第１設備機器５０に関する情報である。また、第１アダプタ４０は、第１１情報を記憶する。第１１情報は、自分自身（第１アダプタ４０）に関する情報である。
【００３３】
第１アダプタ４０は、第１１情報や第１２情報などを、外部からの指令（例えば、電源投入の指令、（管理センター８０からの）状態通知の指令、運転状態変化の指令など）があった場合に、第１ネットワーク１０経由で同報的に（送信先としてブロードキャストアドレスを指定して）送信する。
【００３４】
ここで、特許文献１の技術では、外部からの指令（例えば、電源投入の指令、（管理センターからの）状態通知の指令、運転状態変化の指令など）がない限り、アドレス重複異常を知らせるデータが、第１アダプタから送信されない傾向にある。
【００３５】
それに対して、本発明では、第１アダプタ４０に後述のような構成が採用されているので、外部からの指令がなくても、アドレス重複異常を知らせるデータが、第１アダプタ４０から送信されるようになっている。
【００３６】
管理センター８０は、第１１情報や第１２情報などを第１ネットワーク１０経由で第１アダプタ４０から受信して記憶するとともに管理する。また、管理センター８０は、必要な情報（例えば、図９に示す状態通知の指令ＣＩなど）を第１ネットワーク１０経由で同報的に送信する。第１アダプタ４０は、その情報を受信する。第１アダプタ４０は、受信した情報を必要に応じて第２ネットワーク２０経由で第１設備機器５０へ送信する。
【００３７】
第２アダプタ６０及び第２設備機器７０に関しても、第１アダプタ４０及び第１設備機器５０と同様である。管理センター８０は、第２１情報や第２２情報などを第１ネットワーク１０経由で第２アダプタ６０から受信して記憶するとともに管理する。第２１情報は、第２アダプタ６０に関する情報である。第２２情報は、第２設備機器７０に関する情報である。
【００３８】
このように、管理センター８０は、第１１情報及び第２１情報を管理することにより、第１アダプタ４０及び第２アダプタ６０を集中的に管理する。また、管理センター８０は、第１２情報及び第２２情報を介して、第１設備機器５０及び第２設備機器７０を集中的に管理する。
【００３９】
（第１ネットワークの詳細構成及び詳細動作）
第１ネットワーク１０は、管理センター８０と第１アダプタ４０と第２アダプタ６０とを接続している。第１ネットワーク１０は、設備機器の間の通信に適した独自規格のネットワークである。
【００４０】
第１ネットワーク１０では、送信される信号が全て同報的に送信されるようになっている。
【００４１】
例えば、図９に示すように、第２送信データＤ２（図６参照）が第２アダプタ６０から送信された場合、その第２送信データＤ２は、第１ネットワーク１０を介して、タイミングＴＭ１において、管理センター８０（図１参照）と第１アダプタ４０とで受信される。
【００４２】
また、第１ネットワーク１０では、その仕様により、外部からの指令（例えば、電源投入の指令、（管理センター８０からの）状態通知の指令、運転状態変化の指令など）に応じて、データが機器から送信されるようになっている。
【００４３】
例えば、管理センター８０から状態通知の指令ＣＩが送信された場合、その状態通知の指令ＣＩは、第１ネットワーク１０を介して、第１アダプタ４０と第２アダプタ６０とで受信される。第１アダプタ４０は、状態通知の指令ＣＩに応じて、第１１情報や第１２情報などを含む第１送信データＤ１（図５参照）を第１ネットワーク１０へ送り出す。第２アダプタ６０は、状態通知の指令ＣＩに応じて、第２１情報や第２２情報などを含む第２送信データＤ２（図６参照）を第１ネットワーク１０へ送り出す。
【００４４】
さらに、第１ネットワーク１０では、機器から送信された優先度が同じ複数のデータが衝突した場合、第１時間Ｔ１が経過した後に、それらのデータが再送されるようになっている。
【００４５】
例えば、前述の状態通知の指令ＣＩは、タイミングＴＭ２の直前のタイミングにおいて、第１アダプタ４０と第２アダプタ６０とでほぼ同時に受信される。これにより、状態通知の指令ＣＩに応じて第１アダプタ４０から送信される第１送信データＤ１と、状態通知の指令ＣＩに応じて第２アダプタ６０から送信される第２送信データＤ２とは、タイミングＴＭ２において、第１ネットワーク１０へほぼ同時に送り出す。このため、第１送信データＤ１と第２送信データＤ２とは第１ネットワーク１０の上で衝突し、優先度が同じであるため第１送信データＤ１と第２送信データＤ２とはともに破棄される。そして、タイミングＴＭ２から第１時間Ｔ１が経過したタイミングにおいて、第１送信データＤ１及び第２送信データＤ２が、第１アダプタ４０及び第２アダプタ６０からそれぞれ送信されるが、第１送信データＤ１と第２送信データＤ２とは第１ネットワーク１０の上で再度衝突することになる。
【００４６】
なお、第１ネットワーク１０では、機器から送信された複数のデータが第１ネットワーク１０で衝突しても、それらのデータの優先度が異なれば、優先度が高いデータが優先的に送られて、優先度が低いデータが破棄されることになる。また、アドレスが同じであれば優先度も同じになる。アドレスが異なる場合には、優先度が同じ場合もあり、優先度が異なる場合もある。
【００４７】
（第１アダプタの詳細構成）
第１アダプタ４０は、図２に示すように、主として、伝送制御装置４１を備える。伝送制御装置４１は、主として、第１受信部４２，第１送信部４３，制御部４４，判断部４５，決定部４８，解除部４９，第２受信部４６，第２送信部４７及び記憶部５１を有する。
【００４８】
第１受信部４２及び第１送信部４３は、第１ネットワーク１０に接続されており、制御部４４にも接続されている。第２受信部４６及び第２送信部４７は、第２ネットワーク２０に接続されており、制御部４４にも接続されている。判断部４５，決定部４８，解除部４９及び記憶部５１は、制御部４４に接続されている。
【００４９】
（第１アダプタの詳細動作）
（（アドレス重複異常に関する動作））
第１受信部４２は、第１ネットワーク１０を経由して第２アダプタ６０から第２送信データＤ２（図６参照）を受信する。ここで、第２送信データＤ２は、第２アダプタ６０から同報的に送信されたデータである。制御部４４は、第２送信データＤ２を第１受信部４２から受け取り判断部４５へ渡す。
【００５０】
判断部４５は、第２送信データＤ２の送信元アドレスＤ２３（図６参照）が第１アダプタ４０のアドレスと重複しているか否かを判断する。第１送信部４３は、第２送信データＤ２の送信元アドレスＤ２３が第１アダプタ４０のアドレスと重複しているか否かの情報を、制御部４４経由で判断部４５から受け取る。第１送信部４３は、判断部４５により第２送信データＤ２の送信元アドレスＤ２３が第１アダプタ４０のアドレスと重複していると判断された場合に、第１ネットワーク１０を経由して、異常通知信号Ｄ３４を含む第３送信データＤ３（図７参照）を自発的に送信する。このとき、第１送信部４３は、第３送信データＤ３を同報的に送信する。
【００５１】
一方、決定部４８は、第２送信データＤ２の送信元アドレスＤ２３が第１アダプタ４０のアドレスと重複しているか否かの情報を、制御部４４経由で判断部４５から受け取る。決定部４８は、判断部４５により第２送信データＤ２の送信元アドレスＤ２３が第１アダプタ４０のアドレスと重複していると判断された場合に、アドレス重複異常が発生したことを決定する。
【００５２】
また、解除部４９は、第２送信データＤ２の送信元アドレスＤ２３が第１アダプタ４０のアドレスと重複しているか否かの情報を、制御部４４経由で判断部４５から受け取る。解除部４９は、正常期間が第３時間以上であるか否かを判断する。ここで、正常期間は、第２送信データＤ２の送信元アドレスＤ２３が第１アダプタ４０のアドレスと重複していないと判断部４５が判断する期間である。第３時間は、アドレス重複異常が解消して安定していると判断されるのに十分な時間である。解除部４９は、正常期間が第３時間以上であると判断する場合に、すなわち、アドレス重複異常が解消したと判断する場合に、決定部４８が決定したアドレス重複異常を解除する。
【００５３】
（（機器管理に関する動作））
第２受信部４６は、第２ネットワーク２０経由で第１設備機器５０から第１２情報を受信する。ここで、第１２情報は、第１設備機器５０に関する情報であり、例えば、第１設備機器５０の運転状態を示す情報である。第２受信部４６は、第１２情報を制御部４４経由で記憶部５１へ渡す。記憶部５１は、第１２情報を記憶する。また、記憶部５１は、第１１情報を制御部４４から受け取り記憶する。ここで、第１１情報は、第１アダプタ４０に関する情報であり、例えば、第１アダプタ４０の稼働状態に関する情報である。
【００５４】
第１受信部４２は、第１ネットワーク１０経由で管理センター８０から機器管理情報（例えば、図９に示す状態通知の指令ＣＩなど）を受信する。ここで、機器管理情報は、第１アダプタ４０及び第１設備機器５０の管理（監視・制御）に必要な情報である。制御部４４は、機器管理情報を第１受信部４２から受け取る。制御部４４は、機器管理情報に応じて、第１１情報や第１２情報などを含んだオペコードＤ１４（図５参照）を生成して第２送信部４７へ渡す。第２送信部４７は、オペコードＤ１４を含んだ第１送信データＤ１（図５参照）を生成して第１ネットワーク１０経由で同報的に送信する。
【００５５】
（第２アダプタの詳細構成）
第２アダプタ６０は、図３に示すように、主として、伝送制御装置６１を備える。伝送制御装置６１は、主として、第１受信部６２，第１送信部６３，制御部６４，判断部６５，決定部６８，解除部６９，第２受信部６６，第２送信部６７及び記憶部７１を有する。
【００５６】
第１受信部６２及び第１送信部６３は、第１ネットワーク１０に接続されており、制御部６４にも接続されている。第２受信部６６及び第２送信部６７は、第３ネットワーク３０に接続されており、制御部６４にも接続されている。判断部６５，決定部６８，解除部６９及び記憶部７１は、制御部６４に接続されている。
【００５７】
（第２アダプタの詳細動作）
（（アドレス重複異常に関する動作））
第１受信部６２は、第１ネットワーク１０を経由して第１アダプタ４０から第１送信データＤ１（図５参照）を受信する。ここで、第１送信データＤ１は、第１アダプタ４０から同報的に送信されたデータである。制御部４４は、第１送信データＤ１を第１受信部６２から受け取り判断部６５へ渡す。
【００５８】
判断部６５は、第１送信データＤ１の送信元アドレスＤ１３（図５参照）が第２アダプタ６０のアドレスと重複しているか否かを判断する。第１送信部６３は、第１送信データＤ１の送信元アドレスＤ１３が第２アダプタ６０のアドレスと重複しているか否かの情報を、制御部６４経由で判断部６５から受け取る。第１送信部６３は、判断部６５により第１送信データＤ１の送信元アドレスＤ１３が第２アダプタ６０のアドレスと重複していると判断された場合に、第１ネットワーク１０を経由して、異常通知信号Ｄ４４を含む第４送信データＤ４（図８参照）を自発的に送信する。このとき、第１送信部６３は、第４送信データＤ４を同報的に送信する。
【００５９】
一方、決定部６８は、第１送信データＤ１の送信元アドレスＤ１３が第２アダプタ６０のアドレスと重複しているか否かの情報を、制御部６４経由で判断部６５から受け取る。決定部６８は、判断部６５により第１送信データＤ１の送信元アドレスＤ１３が第２アダプタ６０のアドレスと重複していると判断された場合に、アドレス重複異常が発生したことを決定する。
【００６０】
また、解除部６９は、第１送信データＤ１の送信元アドレスＤ１３が第２アダプタ６０のアドレスと重複しているか否かの情報を、制御部６４経由で判断部６５から受け取る。解除部６９は、正常期間が第３時間以上であるか否かを判断する。ここで、正常期間は、第１送信データＤ１の送信元アドレスＤ１３が第２アダプタ６０のアドレスと重複していないと判断部６５が判断する期間である。第３時間は、アドレス重複異常が解消して安定していると判断されるのに十分な時間である。解除部６９は、正常期間が第３時間以上であると判断する場合に、すなわち、アドレス重複異常が解消したと判断する場合に、決定部６８が決定したアドレス重複異常を解除する。
【００６１】
（（機器管理に関する動作））
第２受信部６６は、第２ネットワーク２０経由で第１設備機器５０から第２２情報を受信する。ここで、第２２情報は、第２設備機器７０に関する情報であり、例えば、第２設備機器７０の運転状態を示す情報である。第２受信部６６は、第２２情報を制御部６４経由で記憶部７１へ渡す。記憶部７１は、第２２情報を記憶する。また、記憶部７１は、第２１情報を制御部６４から受け取り記憶する。ここで、第２１情報は、第２アダプタ６０に関する情報であり、例えば、第２アダプタ６０の稼働状態に関する情報である。
【００６２】
第１受信部６２は、第１ネットワーク１０経由で管理センター８０から機器管理情報（例えば、図９に示す状態通知の指令ＣＩなど）を受信する。ここで、機器管理情報は、第２アダプタ６０及び第２設備機器７０の管理（監視・制御）に必要な情報である。制御部６４は、機器管理情報を第１受信部６２から受け取る。制御部６４は、機器管理情報に応じて、第２１情報や第２２情報などを含んだオペコードＤ２４（図６参照）を生成して第２送信部６７へ渡す。第２送信部６７は、オペコードＤ２４を含んだ第２送信データＤ２（図６参照）を生成して第１ネットワーク１０経由で同報的に送信する。
【００６３】
（第１送信データの詳細構成）
第１送信データＤ１は、第１アダプタ４０からの送信データである。第１送信データＤ１は、図５に示すように、主として、同期情報Ｄ１１，送信元アドレス情報Ｄ１２，送信先アドレス情報Ｄ１３及びオペコード情報Ｄ１４を含む。
【００６４】
同期情報Ｄ１１は、第１ネットワーク１０上において通信の同期を取るために必要な情報であり、第１送信データＤ１の先頭に置かれる。
【００６５】
送信先アドレス情報Ｄ１２は、第１送信データＤ１の送信先となる機器の第１ネットワーク１０上におけるアドレスを示す情報である。ここで、送信先アドレス情報Ｄ１２は、
通常、ブロードキャストのアドレスとなる。
【００６６】
送信元アドレス情報Ｄ１３は、第１送信データＤ１の送信元となる機器の第１ネットワーク１０上におけるアドレスを示す情報であり、第１アダプタ４０のアドレスである。
【００６７】
オペコード情報Ｄ１４は、オペコードを示す情報であり、所定の命令を表している。
【００６８】
このように、第１送信データＤ１は、先頭に同期情報Ｄ１１が置かれているので、第１ネットワーク１０を介して送受信できるようになっている。また、第１送信データＤ１は、送信元アドレス情報Ｄ１３を含むので、どの機器から送信されたデータかを特定することができるようになっている。
【００６９】
（第２送信データの詳細構成）
第２送信データＤ２は、第２アダプタ６０からの送信データである。第２送信データＤ２は、図６に示すように、主として、同期情報Ｄ２１，送信元アドレス情報Ｄ２２，送信先アドレス情報Ｄ２３及びオペコード情報Ｄ２４を含む。
【００７０】
同期情報Ｄ２１は、第１ネットワーク１０上において通信の同期を取るために必要な情報であり、第２送信データＤ２の先頭に置かれる。
【００７１】
送信先アドレス情報Ｄ２２は、第２送信データＤ２の送信先となる機器の第１ネットワーク１０上におけるアドレスを示す情報である。ここで、送信先アドレス情報Ｄ２２は、通常、ブロードキャストのアドレスとなる。
【００７２】
送信元アドレス情報Ｄ２３は、第２送信データＤ２の送信元となる機器の第１ネットワーク１０上におけるアドレスを示す情報であり、第２アダプタ６０のアドレスである。
【００７３】
オペコード情報Ｄ２４は、オペコードを示す情報であり、所定の命令を表している。
【００７４】
このように、第２送信データＤ２は、先頭に同期情報Ｄ２１が置かれているので、第１ネットワーク１０を介して送受信できるようになっている。また、第２送信データＤ２は、送信元アドレス情報Ｄ２３を含むので、どの機器から送信されたデータかを特定することができるようになっている。
【００７５】
（第３送信データの詳細構成）
第３送信データＤ３は、第１アダプタ４０からの送信データである。第３送信データＤ３は、図７に示すように、主として、同期情報Ｄ３１，送信先アドレス情報Ｄ３２，送信元アドレス情報Ｄ３３及び異常通知信号Ｄ３４を含む。
【００７６】
同期情報Ｄ３１，送信先アドレス情報Ｄ３２及び送信元アドレス情報Ｄ３３は、第１送信データＤ１の同期情報Ｄ１１，送信先アドレス情報Ｄ１２及び送信元アドレス情報Ｄ１３（図５参照）と同様である。
【００７７】
異常通知信号Ｄ３４は、アドレス重複異常を知らせる信号であり、アドレス重複異常が発生しているのか否かを示すフラグを有している。
【００７８】
このように、第３送信データＤ３は、先頭に同期情報Ｄ３１が置かれているので、第１ネットワーク１０を介して送受信できるようになっている。また、第３送信データＤ３は、異常通知信号Ｄ３４を含むので、参照されることによりアドレス重複異常が発生しているのか否かを特定することができるようになっている。
【００７９】
（第４送信データの詳細構成）
第４送信データＤ４は、第２アダプタ６０からの送信データである。第４送信データＤ４は、図８に示すように、主として、同期情報Ｄ４１，送信先アドレス情報Ｄ４２，送信元アドレス情報Ｄ４３及び異常通知信号Ｄ４４を含む。
【００８０】
同期情報Ｄ４１，送信先アドレス情報Ｄ４２及び送信元アドレス情報Ｄ４３は、第２送信データＤ２の同期情報Ｄ２１，送信先アドレス情報Ｄ２２及び送信元アドレス情報Ｄ２３（図６参照）と同様である。
【００８１】
異常通知信号Ｄ４４は、アドレス重複異常を知らせる信号であり、アドレス重複異常が発生しているのか否かを示すフラグを有している。
【００８２】
このように、第４送信データＤ４は、先頭に同期情報Ｄ４１が置かれているので、第１ネットワーク１０を介して送受信できるようになっている。また、第４送信データＤ４は、異常通知信号Ｄ４４を含むので、参照されることによりアドレス重複異常が発生しているのか否かを特定することができるようになっている。
【００８３】
（機器管理システムにおいて伝送が制御される処理の流れ）
機器管理システムにおいて伝送が制御される処理の流れを、図４に示すフローチャートを用いて説明する。ここで、第１アダプタ４０に対して外部からの指令（例えば、電源投入の指令、（管理センターからの）状態通知の指令、運転状態変化の指令など）がない場合について説明する。また、第１アダプタ４０が第２アダプタ６０からデータを受信する場合について説明するが、第２アダプタ６０が第１アダプタ４０からデータを受信する場合も同様である。
【００８４】
ステップＳ１では、第２送信データの受信があるか否かが判断される。すなわち、第１アダプタ４０の第１受信部４２は、第１ネットワーク１０を経由して第２アダプタ６０から第２送信データＤ２（図６参照）が送られてきた場合に、その第２送信データＤ２を受信する。制御部４４は、第２送信データＤ２を第１受信部４２から受け取り判断部４５へ渡す。
【００８５】
そして、制御部４４は、第２送信データＤ２を第１受信部４２から受け取ったか否かを判断することにより、第２送信データＤ２の受信があるか否かを判断する。第２送信データＤ２の受信があると判断される場合、ステップＳ２へ進められ、第２送信データＤ２の受信がないと判断される場合、ステップＳ１へ進められる。
【００８６】
ステップＳ２では、アドレスが重複しているか否かが判断される。すなわち、第１アダプタ４０の判断部４５は、第２送信データＤ２の送信元アドレスＤ２３（図６参照）が第１アダプタ４０のアドレスと重複しているか否かを判断する。アドレスが重複していると判断される場合、ステップＳ３へ進められ、アドレスが重複していないと判断される場合、ステップＳ１へ進められる。
【００８７】
ステップＳ３では、アドレス重複異常が決定される。すなわち、第１アダプタ４０の決定部４８は、第２送信データＤ２の送信元アドレスＤ２３が第１アダプタ４０のアドレスと重複していると判断した旨の情報を、制御部４４経由で判断部４５から受け取る。そして、決定部４８は、第２送信データＤ２の送信元アドレスＤ２３が第１アダプタ４０のアドレスと重複していると判断した旨の情報に基づいて、アドレス重複異常が発生したことを決定する。
【００８８】
ステップＳ４では、第３送信データが送信される。すなわち、第１アダプタ４０の第１送信部４３は、第２送信データＤ２の送信元アドレスＤ２３が第１アダプタ４０のアドレスと重複している旨の情報を、制御部４４経由で判断部４５から受け取る。第１送信部４３は、異常通知信号Ｄ３４を含む第３送信データＤ３（図７参照）を生成するとともに、第１ネットワーク１０を経由して、第３送信データＤ３を自発的に送信する。このとき、第１送信部４３は、第３送信データＤ３を同報的に送信する。また、制御部４４は、第１送信部４３が第３送信データＤ３を送信した際に、経過時間を０にリセットする。
【００８９】
ステップＳ５では、第２送信データの受信があるか否かが判断される。すなわち、第１アダプタ４０の第１受信部４２は、第１ネットワーク１０を経由して第２アダプタ６０から第２送信データＤ２（図６参照）が送られてきた場合に、その第２送信データＤ２を受信する。制御部４４は、第２送信データＤ２を第１受信部４２から受け取り判断部４５へ渡す。
【００９０】
そして、制御部４４は、第２送信データＤ２を第１受信部４２から受け取ったか否かを判断することにより、第２送信データＤ２の受信があるか否かを判断する。第２送信データＤ２の受信があると判断される場合、ステップＳ６へ進められ、第２送信データＤ２の受信がないと判断される場合、ステップＳ７へ進められる。
【００９１】
ステップＳ６では、アドレスが重複しているか否かが判断される。すなわち、第１アダプタ４０の判断部４５は、第２送信データＤ２の送信元アドレスＤ２３（図６参照）が第１アダプタ４０のアドレスと重複しているか否かを判断する。アドレスが重複していると判断される場合、ステップＳ７へ進められ、アドレスが重複していないと判断される場合、ステップＳ８へ進められる。
【００９２】
ステップＳ７では、第１送信部による第３送信データの送信が行われてから第２時間だけ経過したか否かが判断される。すなわち、第１アダプタ４０の制御部４４は、経過時間をカウントし続けいている。そして、制御部４４は、経過時間の情報と第２時間Ｔ２（図１０参照）の情報とを比較して、第１送信部４３による第３送信データＤ３の送信が行われてから第２時間Ｔ２だけ経過したか否かを判断する。ここで、第２時間Ｔ２は、第１時間Ｔ１と異なる時間である（図１０参照）。第２時間Ｔ２だけ経過したと判断された場合、ステップＳ４へ進められて経過時間が０にリセットされ、第２時間Ｔ２だけ経過していないと判断された場合、ステップＳ５へ進められる。
【００９３】
ステップＳ８では、正常期間が第３時間以上であるか否かを判断する。すなわち、第１アダプタ４０の解除部４９は、第２送信データＤ２の送信元アドレスＤ２３が第１アダプタ４０のアドレスと重複していると判断した旨の情報を、制御部４４経由で判断部４５から受け取る。そして、解除部４９は、第２送信データＤ２の送信元アドレスＤ２３が第１アダプタ４０のアドレスと重複していると判断した旨の情報を受け取ったことに応じて、正常期間をカウントし始める。ここで、正常期間は、第２送信データＤ２の送信元アドレスＤ２３が第１アダプタ４０のアドレスと重複していないと判断部４５が判断している期間である。解除部４９は、正常期間の情報と第３時間の情報とを比較し、正常期間が第３時間以上であるか否かを判断する。正常期間が第３時間以上であると判断される場合、ステップＳ９へ進められ、正常期間が第３時間以上でないと判断される場合、ステップＳ８へ進められる。
【００９４】
ステップＳ９では、アドレス重複異常が解除される。すなわち、第１アダプタ４０の解除部４９は、決定部４８が決定したアドレス重複異常を解除する。
【００９５】
（機器管理システムに関する特徴）
（１）
ここでは、第１アダプタ４０の判断部４５は、第２送信データＤ２の送信元アドレスＤ２３が第１アダプタ４０のアドレスと重複しているか否かを判断する。第１送信部４３は、第２送信データＤ２の送信元アドレスＤ２３が第１アダプタ４０のアドレスと重複しているか否かの情報を、制御部４４経由で判断部４５から受け取る。第１送信部４３は、判断部４５により第２送信データＤ２の送信元アドレスＤ２３が第１アダプタ４０のアドレスと重複していると判断された場合、第１ネットワーク１０を経由して、第３送信データＤ３を自発的に送信する。第３送信データＤ３は、異常通知信号Ｄ３４を含む。これにより、第１アダプタ４０に対して外部からの指令がなくても、第２アダプタ６０にアドレス重複異常を知らせることができるようになっている。
【００９６】
このように、アダプタに対して外部からの指令がなくても、他のアダプタがアドレス重複異常を検出するようにすることができるようになっている。
【００９７】
（２）
ここでは、第１ネットワーク１０において、機器から送信された優先度が同じ複数のデータが衝突した場合、第１時間Ｔ１が経過した後に、それらのデータが再送されるようになっている。一方、第１アダプタ４０の第１送信部４３は、判断部４５により第２送信データＤ２の送信元アドレスＤ２３が第１アダプタ４０のアドレスと重複していると判断された場合、第１ネットワーク１０を経由して、第３送信データＤ３を、第２時間Ｔ２の間隔で周期的に送信する。ここで、第２時間Ｔ２は、第１時間Ｔ１と異なる時間である（図１０参照）。これにより、第３送信データＤ３と第２送信データＤ２とが第１ネットワーク１０の上で衝突したとしても、次に送信されたタイミングにおいて、第３送信データＤ３と第２送信データＤ２とが第１ネットワーク１０の上で衝突することは低減される（図９及び図１０参照）。
【００９８】
このように、第３送信データＤ３と第２送信データＤ２とが第１ネットワーク１０の上で衝突することが低減されるので、アドレス重複異常を知らせるデータ（第３送信データＤ３）が機器（第１アダプタ４０）から送信された場合に、他の機器（第２アダプタ６０）がアドレス重複異常を確実に検出するようにすることができるようになっている。
【００９９】
（３）
ここでは、第１アダプタ４０の第１送信部４３は、判断部４５により第２送信データＤ２の送信元アドレスＤ２３が第１アダプタ４０のアドレスと重複していると判断された場合、第１ネットワーク１０を経由して、第３送信データＤ３を同報的に送信する。これにより、第２アダプタ６０のアドレスを指定せずに第２アダプタ６０にアドレス重複異常を知らせることができるようになっている。
【０１００】
このように、アドレス重複異常を知らせるデータ（第３送信データＤ３）が機器（第１アダプタ４０）から送信された場合に、他の機器（第２アダプタ６０）のアドレスを指定せずに他の機器（第２アダプタ６０）にアドレス重複異常を知らせることができるようになっているので、他の機器（第２アダプタ６０）がアドレス重複異常を確実に検出するようにすることができるようになっている。
【０１０１】
（４）
ここでは、第１アダプタ４０の決定部４８は、第２送信データＤ２の送信元アドレスＤ２３が第１アダプタ４０のアドレスと重複しているか否かの情報を、制御部４４経由で判断部４５から受け取る。決定部４８は、判断部４５により第２送信データＤ２の送信元アドレスＤ２３が第１アダプタ４０のアドレスと重複していると判断された場合に、アドレス重複異常が発生したことを決定する。そして、解除部４９は、第２送信データＤ２の送信元アドレスＤ２３が第１アダプタ４０のアドレスと重複しているか否かの情報を、制御部４４経由で判断部４５から受け取る。そして、解除部４９は、正常期間が第３時間以上であるか否かを判断する。解除部４９は、正常期間が第３時間以上であると判断する場合に、アドレス重複異常が解消したと判断するので、決定部４８が決定したアドレス重複異常を解除する。
【０１０２】
このように、アドレス重複異常が解消したと判断される場合に、決定部４８が決定したアドレス重複異常を解除部４９が解除するので、機器（第１アダプタ４０）がリセットされなくてもアドレス重複異常はクリアされる。
【産業上の利用可能性】
【０１０３】
本発明に係る伝送制御装置、機器管理システム及び伝送制御方法は、他の機器がアドレス重複異常を検出するようにすることができるという効果を有し、伝送制御装置、機器管理システム及び伝送制御方法等として有用である。
【図面の簡単な説明】
【０１０４】
【図１】本発明の実施形態に係る機器管理システムの構成図
【図２】本発明の実施形態における第１アダプタの構成図。
【図３】本発明の実施形態における第２アダプタの構成図。
【図４】機器管理システムにおいて伝送が制御される処理の流れを示すフローチャート。
【図５】第１送信データの構成を示す図。
【図６】第２送信データの構成を示す図。
【図７】第３送信データの構成を示す図。
【図８】第４送信データの構成を示す図。
【図９】第１ネットワークの仕様を示す図。
【図１０】第３送信データが送信されるタイミングを示す図。
【符号の説明】
【０１０５】
１  機器管理システム
１０  第１ネットワーク
２０  第２ネットワーク
３０  第３ネットワーク
４０  第１アダプタ
４１  伝送制御装置
４２  第１受信部
４３  第１送信部
４５  判断部
４８  決定部
５０  第１設備機器
６０  第２アダプタ
６１  伝送制御装置
６２  第１受信部
６３  第１送信部
６５  判断部
６８  決定部
７０  第２設備機器
８０  管理センター